(57)【要約】【課題】  靴の補修材には従来より運動靴のカカト部分の擦り減りに適合した補修材は売られて居なかった。近年になりスポーツ愛好者が増加し機能性のある高級運動靴が広く普及した。連日のトレーニングによるカカトの磨耗で三〜四か月履けなくなる。高価額で不経済、つい履き続けて生ずる故障や痛み、疲労等の多くの課題を緊急に解決しなければならない時代と文化の変化に対応する課題。【解決手段】  素材に耐磨耗性弾性体ポリウレタン系のものを選定し、取扱い易い形状に成型し、使用者が自分で補修出来る様に、擦り減り部分を掌で紙型に取り、洋裁ばさみで切抜き、ゴム用接着剤で張付け即ガムテープで固定放置する手段で、経済的、保健的、多くの重要な課題を解決する発明である。【選択図】      図１  
2005034518.tif 000002
【特許請求の範囲】
【請求項１】
カカト後部外側から左右方向及び中心部へと徐々に薄くなっている擦り減りの空間部分を復元するため使用され、先細の断面形状をなし、滑り難い性質を持つ耐摩耗弾性体帯状の成形物。
【発明の詳細な説明】
【技術分野】
【０００１】
靴作りの発展が急速に進歩し特に運動靴が高級化しスニーカー・ランニングシューズ等が多くの機能性を有するようになり、ユーザーの要求が高機能品質思考に拘るようになった。履いて使うほどに足に馴染んでくるのにカカト後部外側が早く擦り減り、これを復元する補修材としての形状と機能の成形に関するものである。
【背景技術】
【０００２】
従来の靴補修材は皮製の紳士婦人靴のカカトに主として使われ大小定形の釘と接着剤を用いるもので運動靴の擦り減りには釘は危険性があり各人それぞれ減り方が異なり適用しにくい。現在の高級多種の靴底の機能形体を復元するには素材、形態、成形、接着、環境等の課題を残していた。
【特許文献１】特開平９−２９４６０９
【発明の開示】
【発明が解決しようとする課題】
【０００３】
現在消費者のニーズは高級品を求めている。スポーツ人口の増加による業界の高価額な靴の売上が増加し景気上昇に繋がるが、消費者の全ての人が気楽に購入することは困難である。この発明は経済的な課題を解決しようとするもので多くの人が安価に使用できるようにするものである。
靴底カカト後部外側の擦り減りの速さは用途や人によって違うが想像以上に速く、ランニングやウオーキングを連日に亙るトレーニングとして行うスポーツ愛好者、例えば市民マラソンランナーでは、3〜4ヶ月で１足使い捨てている。
そのまま走り続けると全身にまで障害が及ぶほかＯ脚、記録が伸びない、疲れやすい、気持ちよく走れない等即解決しなければならない多くの課題がある。
高級化した靴を補修するに相応しい素材と形状を選択し設計する課題には、素材として磨耗に強く、用途に適した弾性を有し、着色も黒が最も良いが自由、夫々ＪＩＳに規定される硬度測定で仕様品質を管理出来ること。
【課題を解決するための手段】
【０００４】
一般の人からスポーツ愛好者まで誰でも自分で擦り減り靴が何回も補修出来る事、しかも実際の擦り減り空間の断面が先細三角形で高さが合うように擦り減りの端に紙を当て手の平で押し紙型を取る、紙型を補修材に写し線引きし正確に切り抜くためには、素材が強靭で特殊な刃物でなければ刃がたたず困難であった。一般家庭にある大きめの洋裁ばさみが唯一紙型線上を一気に切断できることが判明し、これを採用した。
図１の形状は左右異なる擦り減りのどんな変形にも対処できるよう設計した。
接着剤の進歩により補修には危険性を考慮し釘を使用しないことにした。
１.  溶剤を配合しているゴム用接着剤は二度塗り乾燥接着
液型でゼリー状瞬間接着剤
二液型ではエボキシ樹脂Ａと硬化剤Ｂ標準配合１：１を１：１．５位にB剤を多く配合するとゴム状に固着する。
接着の基本である接着面の汚れを取る、表面積を広くするためサンドペーパーをかける、より剥がれ難くするため釘打ち代わりに要所に数箇所キリで穴を開ける、張り合わせた直後から硬化するまで動かさないことが重要である。
それには、紙ガムテープでしっかり固定し放置する事が最も簡単でよい手段である事が判明した。
【発明の効果】
【０００５】
この発明による靴補修剤を使用することにより概してカカトに生ずる擦り減り部を元通りに復元し、下記の通り経済的、健康的に多くの効果を有するものである。
最近に至り靴の形態の健康に及ぼす効果が学術的に立証されている。
市民マラソンランナーやウオーカーが増加し高級運動靴はその履き心地のよさから近年になり大変に普及してきたが、価額が一足１０，０００円以上と高く、連日のトレーニングで３〜４ヶ月でカカトの外側が擦り減り、買い換える事で負担が大きくなってしまう。靴のカカト以外は丈夫なので、かかと部分を３〜４回補修することにより、一足３，０００円以下の負担で済むことになり、誰でも気軽に高級靴を履くことが出来る。業者も売上が上昇、経済的効果は大なるものである。
擦り減った靴をそのまま履き続けて発生する下記の障害を未然に防止することが出来る。
１．足腰の故障、２．Ｏ脚化の進行、３．疲れ易くなりトレーニングが長続きしない、４．走行姿勢が悪くなり記録が伸びない、５．気持ちよく楽しく走行できなくなるなどを改善する効果を期待するものである。
【発明を実施するための最良の形態】
【０００６】
従来の革靴を主体対象とする物から高級運動靴を対象とした靴補修剤の形態とし、時代の要請に応じ誰でも自分で補修出来るようにした。唯一洋裁ばさみを使いどんな擦り減りにも紙型をとり強靭なウレタン素材を切抜く事、更に弾性のある切片が丁度良く擦り減り空間を埋める形になる。中央の薄い方から切込みを入れ両端を引っ張ると長さの調節や側面を合はせることも出来る。接着剤が剥がれないよう面を加工して接着して補修する形態である。
なお、切断面をライターで加熱してサンドペーパーで化粧し外観をよくすることも出来る。
図１の二つの表面の形態は全く同じ発明である。
【実施例】
【０００７】
図面を参照して実施例を説明する。
図１  Ａ１〜４が薄く、２〜３が厚い断面が先細三角形に見える請求項1に記載の靴補修剤の斜視図である。
図１〜５まで同じ厚さの断面が四角となるものは、トレーニングを連日行う市民ランナーやウオーカー向けに長持ちするようにした靴補修剤の斜視図である。
家庭にある洋裁ばさみと普通のガムテープ及びゴム用接着剤を使い自分で補修できる。但し夫々の接着剤の特性により、特に接着面に穴や切り傷及びヤスリ掛けを充分に実施した。
【図面の簡単な説明】
【０００８】
【図１】本発明にかかる靴補修剤が二つの形状を有する外観図である。
【図２】補修材を洋裁ばさみで切抜く前後の場面の外観図である。
【図３】擦り減り靴の斜視図と補修後の背面図である。
【符号の説明】
【０００９】
Ａ    ……  二つの形状は用途で使い分ける等級別靴補修材の外観で同じ発明から成るものである。
Ｂ    ……  強靭な補修材を紙型で切抜く外観図である。
Ｃ    ……  カカトの擦り減りを補修する前後の運動靴の下面図と背面図である。
Ａ１〜５  …  靴補修材の両端の厚みを表す。２〜３は厚く１〜４は薄い、〜５まで端厚と同じ厚さであるトレーニングに適する変形品。
Ｂ１.２.３ …  補修材表面に紙型で線引きする切抜き手段で、1は切抜線、２は補修用部品片、３は使用する洋裁ばさみである。
Ｃ１．２  …  1は運動靴擦り減り部分、２は補修後の後姿で靴底が下に見える。
【図１】
2005034518.tif 000003
【図２】
2005034518.tif 000004
【図３】
2005034518.tif 000005